(57)【要約】【課題】導電ガスケットの脱落を防止したマグネトロンを提供すること。【解決手段】出力アンテナ１９が真空容器部分の内側空間を管軸ｍ方向に伸びるマイクロ波出力部と、真空容器部分の外側に配置した永久磁石２０と、マイクロ波出力部が開口２１ａ部分を貫通するヨーク２１と、永久磁石２０とヨーク２１との間に位置するシム板２２と、ヨーク２１の開口２１ａ部分に配置した導電ガスケット２３とを具備したマグネトロンにおいて、シム板２２と導電ガスケット２３とを溶接した。【選択図】図１
2005197160.tif 000002
【特許請求の範囲】
【請求項１】
出力アンテナが真空容器部分の内側空間を管軸方向に伸びるマイクロ波出力部と、前記真空容器部分の外側に配置した永久磁石と、前記マイクロ波出力部が開口部分を貫通するヨークと、前記永久磁石と前記ヨークとの間に位置するシム板と、前記ヨークの開口部分に配置した導電ガスケットとを具備したマグネトロンにおいて、前記シム板と前記導電ガスケットとを溶接したことを特徴とするマグネトロン。
【請求項２】
シム板と導電ガスケットとの溶接は、前記シム板の前記導電ガスケットとの溶接箇所に突起を設けたプロジェクション溶接である請求項１記載のマグネトロン。
【発明の詳細な説明】
【技術分野】
【０００１】
この発明は、電子レンジなどに使用するマグネトロンに関する。
【背景技術】
【０００２】
マグネトロンは高周波を発生する電子管で、電子レンジの加熱源などに使用されている。
【０００３】
ここで、従来のマグネトロンについて、その主要部を抜き出して示した図３の断面図を参照して説明する。
【０００４】
符号３０は発振部本体を構成する陽極円筒で、陽極円筒３０の内側空間に、複数の陽極ベイン３１や陰極（図示せず）が配置されている。陽極円筒３０の端部開口部分にポールピース３２が設けられている。ポールピース３２は管軸ｍ上に開口３２ａが設けられ、管軸ｍからずれた位置に透孔３２ｂが形成されている。ポールピース３２の図示上方に筒状金属容器３３が配置されている。
【０００５】
金属容器３３は、たとえば外側に広がるフランジ部３３ａおよび管軸ｍの延長方向に伸びる筒状部３３ｂ、高周波チョークとして機能する内側に折れ曲がった折曲部３３ｃなどから構成され、フランジ部３３ａがポールピース３２と気密に接合されている。
【０００６】
金属容器３３に、高周波チョークとして機能する筒状チョーク構造体３４が接合されている。チョーク構造体３４の上端はセラミックなどからなる絶縁円筒３５に接合されている。絶縁円筒３５に封着リング３６が接合され、封着リング３６に排気管３７が封着されている。排気管３７は金属キャップ３８で保護されている。また、出力部を構成する出力アンテナ３９の一端が排気管３７に接続されている。出力アンテナ３９の他端は絶縁円筒３５などの内側空間を通り、さらにポールピース３２の透孔３２ｂを通って陽極円筒３０の内側まで伸び、陽極ベイン３１の１つに接続されている。
【０００７】
ポールピース３２の管軸ｍ方向における図示上方、たとえば金属容器３３のフランジ部３３ａ上方にリング状永久磁石４０が配置されている。永久磁石４０の管軸ｍ方向における図示上方に、磁気回路の一部を形成するヨーク４１が配置されている。ヨーク４１は中央に開口４１ａが設けられ、その開口４１ａを、マグネトロンの真空容器部分を構成するたとえばチョーク構造体３４や絶縁円筒３５の部分が貫通している。また、ヨーク４１と永久磁石４０との間に、磁性材料のリング状シム板４２が挟まれている。
【０００８】
シム板４２は、その内側部分に管軸ｍと平行に突出する突出部４２ａが環状に形成され、また、突出部４２ａから下方に伸びる筒状端部４２ｂが金属容器３３の筒状部３３ｂに接合されている。そして、ヨーク４１の開口４１ａ部分の内側面とシム板４２の突出部４２ａとの間にリング状の導電ガスケット４３が嵌め込まれている。この場合、ヨーク４１の開口４１ａ部分の内側面に段差４１ｂを設け、その段差４１ｂで形成された凹部空間に導電ガスケット４３の一部を押し込み、導電ガスケット４３が脱落しないようにしている。
【０００９】
上記した構成のマグネトロンは、電子レンジなどに組み込む場合、マイクロ波出力部、たとえばヨーク４１から突出する部分を導波管内に挿入し、たとえばヨーク４１と導波管をネジなどで固定する。このとき、０．１ｍｍ程度の金属線を編み込んだ弾力性のある導電ガスケット４３が導波管に接触し、マイクロ波の漏洩が防止される。
【００１０】
上記した構成のマグネトロンは特許文献１などに開示されている。
【特許文献１】特開平４−３６８７５０号公報
【発明の開示】
【発明が解決しようとする課題】
【００１１】
従来のマグネトロンは、マイクロ波の漏洩を防止するために、ヨーク４１の開口４１ａに導電ガスケットを圧入し、導電ガスケット４３と導波管を電気的に接触させている。このとき、導電ガスケット４３が外れないように、ヨーク４１に設けた開口４１ａ部分の内側面に段差４１ａを設け、その段差４１ａで形成された凹部空間に導電ガスケット４３の一部を押し込んでいる。
【００１２】
しかし、導電ガスケット４３は、ヨーク４１の開口４１ａ部分に単に圧入する構造であるため、製造過程や輸送途中の振動などで脱落する場合がある。
【００１３】
本発明は、上記した欠点を解決し、導電ガスケットの脱落を防止したマグネトロンを提供することを目的とする。
【課題を解決するための手段】
【００１４】
本発明は、出力アンテナが真空容器部分の内側空間を管軸方向に伸びるマイクロ波出力部と、前記真空容器部分の外側に配置した永久磁石と、前記マイクロ波出力部が開口部分を貫通するヨークと、前記永久磁石と前記ヨークとの間に位置するシム板と、前記ヨークの開口部分に配置した導電ガスケットとを具備したマグネトロンにおいて、前記シム板と前記導電ガスケットとを溶接したことを特徴とする。
【発明の効果】
【００１５】
本発明によれば、導電ガスケットとシム板を溶接し、導電ガスケットをシム板に固定しているため、製造過程や輸送途中の振動などによって導電ガスケットが脱落しないマグネトロンが実現される。
【発明を実施するための最良の形態】
【００１６】
本発明の実施形態について、その主要部を抜き出して示した図１の断面図を参照して説明する。
【００１７】
符号１０は発振部本体を構成する陽極円筒で、陽極円筒１０の内側空間に複数の陽極ベイン１１や陰極（図示せず）が配置されている。また陽極円筒１０の端部開口部分にポールピース１２が設けられている。ポールピース１２は管軸ｍ上に開口１２ａが設けられ、管軸ｍからずれた位置に透孔１２ｂが形成されている。ポールピース１２の図示上方に筒状金属容器１３が配置されている。
【００１８】
金属容器１３は、たとえば外側に広がるフランジ部１３ａおよび管軸ｍの延長方向に伸びる筒状部１３ｂ、高周波チョークとして機能する内側に折れ曲がった折曲部１３ｃなどから構成され、フランジ部１３ａがポールピース１２に気密に接合されている。
【００１９】
金属容器１３に、高周波チョークとして機能する筒状チョーク構造体１４が接合されている。チョーク構造体１４の上端はセラミックなどからなる絶縁円筒１５に接合されている。絶縁円筒１５に封着リング１６が接合され、封着リング１６に排気管１７が封着されている。排気管１７は金属キャップ１８で保護されている。また、出力部を構成する出力アンテナ１９の一端が排気管１７に接続されている。出力アンテナ１９の他端は絶縁円筒１５などの内側空間を通り、さらにポールピース１２の透孔１２ｂを通って陽極円筒１１の内側まで伸び、陽極ベイン１１の１つに接続されている。
【００２０】
上記の金属容器１３やチョーク構造体１４、絶縁円筒１５、封着リング１６、排気管１７はマグネトロンの真空容器の一部を構成している。
【００２１】
ポールピース１２の管軸ｍ方向における図示上方、たとえば真空容器部分の外側で金属容器１３のフランジ部１３ａ上方に、リング状永久磁石２０が配置されている。また、永久磁石２０の管軸ｍ方向における図示上方に、磁気回路を形成するヨーク２１が配置されている。図１では、ヨーク２１の一部だけが示されている。
【００２２】
ヨーク２１は中央に開口２１ａが設けられ、その開口２１ａ部分を、真空容器を構成するたとえばチョーク構造体１４や絶縁円筒１５が貫通している。また、ヨーク２１と永久磁石２０との間に、磁性体からなるリング状シム板２２が挟まれている。
【００２３】
シム板２２は、その内側部分に管軸ｍ方向に突出する突出部２２ａが環状に形成され、また、突出部２２ａから下方に伸びる筒状端部２２ｂが金属容器１３の筒状部１３ｂに接合されている。そして、ヨーク２１の開口２１ａ部分の内側面とシム板２２の突出部２２ａとの間に、たとえば０．１ｍｍ程度の金属線を編み込んだ弾力性のあるリング状導電ガスケット２３が嵌め込まれている。このとき、導電ガスケット２３が脱落しないように、ヨーク２１の開口２１ａ部分の内側面に段差２１ｂを設け、その段差２１ｂによって形成された凹んだ空間部分に導電ガスケット２３の一部を押し込んでいる。また、同時に、シム板２２の複数箇所、たとえば４〜８個所に溶接用突起２２ａを設け、シム板２２と導電ガスケット２３をプロジェクシヨン溶接している。
【００２４】
ここで、シム板２２と導電ガスケット２３の溶接箇所の一例を図で説明する。図２は、図１に対応する部分に同じ符号を付し重複する説明を一部省略する。
【００２５】
図２は８個所で溶接した場合で、溶接箇所を十字部分の交点ａ〜ｈで示している。たとえば４個の溶接箇所ａ〜ｄは導電ガスケット２３の外縁に近い１つの円周上に等間隔に設けられている。残りの４個の溶接箇所ｅ〜ｈは、たとえば導電ガスケット２３の内縁に近い１つの円周上に等間隔に、かつ、溶接箇所ａ〜ｄと半径方向で重ならない位置に設けられている。
【００２６】
上記した構成によれば、導電ガスケットとシム板が溶接されている。そのため、製造過程や輸送途中の振動などで導電ガスケットが脱落するようなことがなくなる。また、導電ガスケットの脱落で発生するマイクロ波の漏洩が防止され、安全性の高いマグネトロンが得られる。
【図面の簡単な説明】
【００２７】
【図１】本発明の実施形態を説明するための一部断面図である。
【図２】本発明による溶接箇所を説明するための上面図である。
【図３】従来例を説明するための一部断面図である。
【符号の説明】
【００２８】
１０…陽極円筒
１１…陽極ベイン
１２…ポールピース
１３…金属容器
１４…チョーク構造体
１５…絶縁円筒
１６…封着リング
１７…排気管
１８…金属キャップ
１９…出力アンテナ
２０…永久磁石
２１…ヨーク
２１ａ…ヨークの開口
２２…シム板
２３…導電ガスケット
【図１】
2005197160.tif 000003
【図２】
2005197160.tif 000004
【図３】
2005197160.tif 000005